【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
非一時的なコンピュータで読み取り可能な媒体であって、
コンピュータデバイスが、期限内に完了すべき患者ケアの指示を含むクリニカルプロトコルに基づいて、クリニカルコンディションを表わす患者情報をモニタリングするステップと、
前記コンピュータデバイスが、前記モニタリングの結果に基づいて、ユーザに前記患者ケアの指示を提供するステップと、
前記コンピュータデバイスが、前記患者ケアの指示の提供及び前記患者情報のうち少なくとも１の結果に基づいて、クリニカルプロトコルへの準拠を決定するステップと、
前記クリニカルプロトコルに準拠していないという決定に対して、前記患者ケアの指示を前記クリニカルプロトコルに準拠して再調整する推奨アクション要求を提供するステップと、を有する方法をコンピュータデバイスに実行させる、コンピュータで実行可能な指示が記録されている媒体。
【請求項２】
請求項１に記載の非一時的なコンピュータで読み取り可能な媒体であって、前記患者情報をモニタリングするステップは、少なくとも１の前記患者情報が提供されること及び前記患者ケアの指示が前記期限内に実施されることを指定するステップを有する媒体。
【請求項３】
請求項１に記載の非一時的なコンピュータで読み取り可能な媒体であって、前記期限を示す秒読みタイマを前記ユーザに表示するステップをさらに有する媒体。
【請求項４】
請求項１に記載の非一時的なコンピュータで読み取り可能な媒体であって、前記患者ケアの指示を提供するステップは、
患者のバイタルサインの１つ以上の測定データを取得するステップと、
１つ以上の患者検体を得るステップ及び前記１つ以上の患者検体について１つ以上の臨床検査を実行するステップと、
患者又は前記１つ以上の患者検体について、１つ以上の放射線画像検査を実行するステップと、
前記患者について、１つ以上の身体的診断テストを実行するステップと、
前記患者について、１つ以上の医学的手順を実行するステップと、の少なくとも１を有する媒体。
【請求項５】
請求項１に記載の非一時的なコンピュータで読み取り可能な媒体であって、
前記コンピュータデバイスが、病院情報システムにアクセスして追加の患者情報を取り出すステップと、
前記コンピュータデバイスが、当該取り出された追加の患者情報を前記クリニカルプロトコルに基づいて当該モニタリングされた患者情報と互いに関連付けるステップと、をさらに有し、
前記患者ケアの指示を提供するステップは、当該取り出された追加の患者情報、当該モニタリングされた患者情報、及び前記クリニカルプロトコルに基づいた診断情報の組み合わせを表示するステップを有する媒体。
【請求項６】
請求項１に記載の非一時的なコンピュータで読み取り可能な媒体であって、
前記ユーザの役割情報を受信するステップをさらに有し、
前記患者情報をモニタリングするステップは、当該受信された前記ユーザの役割情報に基づいた患者情報を要求するステップを有し、
前記患者ケアの指示は、当該受信された前記ユーザの役割情報に基づいて提供される媒体。
【請求項７】
請求項１に記載の非一時的なコンピュータで読み取り可能な媒体であって、
前記患者ケアの指示は、ケアプロトコル標準への準拠の決定に基づいて提供される媒体。
【請求項８】
ユーザに患者ケアモバイルアプリケーションを配布するためのコンピュータが実行する方法であって、
コンピュータデバイスが、前記ユーザの役割情報を受信するステップと、
当該受信された役割情報に基づいて、前記ユーザに向けられた複数の患者ケアモバイルアプリケーションを識別するステップと、
前記コンピュータデバイスが、当該識別された前記複数の患者ケアモバイルアプリケーションの要約情報を前記ユーザに提供するステップと、
前記コンピュータデバイスが、前記複数の患者ケアモバイルアプリケーションのうちの１を識別する前記ユーザからの選択情報を受信するステップと、
当該識別された前記複数の患者ケアモバイルアプリケーションのうちの１へのアクセスを許可するステップと、
を有する方法。
【請求項９】
請求項８に記載のコンピュータが実行する方法であって、前記役割情報は、ヘルスケア組織内の前記ユーザの職業情報を含み、
前記複数の患者ケアモバイルアプリケーションのうちの１以上は、前記職業情報に基づいて識別される方法。
【請求項１０】
請求項９に記載のコンピュータが実行する方法であって、前記職業情報は、ユーザの地位を医師、看護師、技師、管理者、患者、及び支払者の少なくとも１として表わす情報を含む方法。
【請求項１１】
請求項８に記載のコンピュータが実行する方法であって、前記役割情報は、ヘルスケア組織内の前記ユーザに関連する部門を識別する部門情報を含み、
前記複数の患者ケアモバイルアプリケーションのうちの１以上は、前記部門情報に基づいて識別される方法。
【請求項１２】
請求項１１に記載のコンピュータが実行する方法であって、前記部門情報は、心臓病科、内科、産科/婦人科、腫瘍科、放射線科、外科、小児科、新生児科、救急医学科、腎臓科、及び皮膚科の少なくとも１として前記ユーザに関連する部門を表わす情報を含む方法。
【請求項１３】
請求項８に記載のコンピュータが実行する方法であって、
前記役割情報が前記ユーザを患者として識別した場合に、前記コンピュータデバイスが、病院情報システムにアクセスして前記ユーザに関連する診断情報を決定するステップをさらに含み、
当該受信された役割情報に基づいて前記複数の患者ケアモバイルアプリケーションを識別するステップは、当該決定された前記診断情報に基づいて前記複数の患者ケアモバイルアプリケーションを識別するステップを含む方法。
【請求項１４】
患者ケアの提供を容易にするためのシステムであって、前記システムは、
第１のストレージ及び第１のプロセッサを有し、
それぞれが期限内に完了すべき第１の患者ケアの指示及び第２の患者ケアの指示を含むクリニカルプロトコルに基づいて、クリニカルコンディションを表わす患者情報をモニタリングするステップと、
前記モニタリングの結果に基づいて、第１のユーザに第１の患者ケアの指示を提供するステップと、
前記第１の患者ケアの指示の提供及び前記患者情報のうち少なくとも１の結果に基づいて、クリニカルプロトコルへの準拠を決定するステップと、
前記クリニカルプロトコルは前記第１のユーザによって準拠されていないという決定に対して、前記クリニカルプロトコルに準拠して前記第１の患者ケアの指示を再調整する第１の推奨アクション要求を提供するステップと、を実行する第１のコンピュータデバイスと、
第２のストレージ及び第２のプロセッサを有し、
それぞれが前記期限内に完了すべき前記第１の患者ケアの指示及び前記第２の患者ケアの指示を含む前記クリニカルプロトコルに基づいて、前記クリニカルコンディションを表わす患者情報をモニタリングするステップと、
前記モニタリングの結果に基づいて、第２のユーザに第２の患者ケアの指示を提供するステップと、
前記第２の患者ケアの指示の提供及び前記患者情報のうち少なくとも１の結果に基づいて、クリニカルプロトコルへの準拠を決定するステップと、
前記クリニカルプロトコルは前記第２のユーザによって準拠されていないという決定に対して、前記クリニカルプロトコルに準拠して前記第２の患者ケアの指示を再調整する第２の推奨アクション要求を提供するステップと、を実行する第２のコンピュータデバイスと、を有し、
前記第１のコンピュータデバイス及び前記第２のコンピュータデバイスのそれぞれは、第１のユーザ及び第２のユーザのクリニカルプロトコルへの準拠の表示を、それぞれ実質的に共通の提示形式で提供するように構成されているシステム。
【手続補正２】
【補正対象書類名】明細書
【補正対象項目名】００２９
【補正方法】変更
【補正の内容】
【００２９】
【図１】図１は、本願の実施例により準拠されたケアクリニカルプロトコル標準の例を示す。
【図２】図２は、ケアクリニカルプロトコル標準に従って、Ｗａｒｆａｒｉｎ（商標）の投与量を決定するためのプロトコルの例を示す。
【図３】図３は、ケアクリニカルプロトコル標準に従って、手術後の出血への対応を決定するためのプロトコルの例を示す。
【図４】図４は、図３のプロトコルの例において使用される診断チャートを示す。
【図５】図５は、ケアクリニカルプロトコル標準に従って、頻脈を治療するためのプロトコルの例を示す。
【図６】図６は、本願の実施例により、ケアクリニカルプロトコル標準に準拠して患者ケアを容易にするためのシステムのダイアグラムを示す。
【図７】図７は、いくつかの実施例に適した環境の例を示す。
【図８】図８は、いくつかの実施例における使用に適したコンピュータデバイスの例を含むコンピュータ環境の例を示す。
【図９】図９は、本願の実施例により、ケアクリニカルプロトコル標準に準拠して患者ケアを容易にする方法のフローチャートを示す。
【図１０】図１０は、本願の他の実施例によってケアクリニカルプロトコル標準に準拠して患者ケアを容易にする方法のフローチャートを示す。
【図１１】図１１は、本願の実施例により、ケアクリニカルプロトコル標準に準拠して患者ケアを容易にするためのユーザインターフェースを示す。
【図１２】図１２は、本願の他の実施例により、ケアクリニカルプロトコル標準に準拠して患者ケアを容易にするためのユーザインターフェースを示す。
【図１３】図１３は、本願の第３の実施例により、ケアクリニカルプロトコル標準に準拠して患者ケアを容易にするためのユーザインターフェースを示す。
【図１４】図１４は、本願の第４の実施例により、ケアクリニカルプロトコル標準に準拠して患者ケアを容易にするためのユーザインターフェースを示す。
【手続補正３】
【補正対象書類名】明細書
【補正対象項目名】００７０
【補正方法】変更
【補正の内容】
【００７０】
複数の患者ケアアプリケーションは、複数のレベルに分類され得る。例えば、複数の患者ケアアプリケーションは、病院/診療所のネットワーク、病院/診療所/介護施設/ホスピスケア、階（フロア）、部署、ベッドのグループ、病室のグループ、ベッド及び病室のうち１つ以上の要求に基づいて分類され得る。セキュリティの等級、すなわちデータの保護及びアクセス制御は、異なるレベルでは異なっていても良い。例えば、病院の１つの建物に特定の患者ケアアプリケーションは、同じ病院の他の建物からは、ヘルスケアの専門家がアクセスできなくても良い。患者ケアアプリケーションは、関連付けられているレベルに特定の治療ステップの推奨を提供するように適合されていても良い。例えば、アプリケーションは、病院の特定の部署（例えば、心臓病科、放射線科、薬局など）に特定の推奨を提供し、入力を要求してもよい。レベルや部署に関わらず、アプリケーションは、クリニカルプロトコルの遵守又は逸脱を示す入力に応答して治療ステップの推奨を提供することによって、部署内でケアクリニカルプロトコル標準へのリアルタイムの準拠を推進するように、それぞれが適合されていても良い。